(57)【特許請求の範囲】
【請求項１】
原稿を読取り位置に対して移動させながら原稿の画像面をランプで照射し、その反射光を光信号として読み取り、その光信号を電気信号として出力する画像形成装置において、  前記反射光をＣＣＤに結像するレンズは、アダプタ部材を介して画像形成装置のフレームに装着可能に取り付けられ、
前記アダプタ部材は、レンズを支持する凹部と、フレームに組み合わされる円弧状の外周面とを有し、
前記凹部は２つの垂直壁面と、２つの斜面部と、１つの水平壁面と、からなり、
前記垂直壁面と前記水平壁面に対して、前記レンズが位置決めされることを特徴とする画像形成装置。
【請求項２】
前記アダプタ部材をフレームに組み合わせるに際して、一方の部材に設けた突起を、他方の部材に設けた位置決め孔に合わせて位置決めすることを特徴とする請求項１に記載の画像形成装置。
【請求項３】
前記フレームの下部には、前記アダプタ部材もしくは前記レンズよりも大口径のレンズが装着されるレンズフレームが形成され、
前記レンズフレームは２つの垂直壁面と、２つの斜面部と、１つの水平壁面と、からなる凹部を有し、この垂直壁面と前記水平壁面に対して、前記アダプタ部材もしくは前記大口径のレンズが位置決めされることを特徴とする請求項１に記載の画像形成装置。
【発明の詳細な説明】
【０００１】
【発明の属する技術分野】
本発明は、原稿移動型の画像読取装置に関し、特に、原稿のサイズ等に対応させてレンズを交換するとともに、光路長さを変更する作業を容易に行い得る画像形成装置に関する。
【０００２】
【従来の技術】
ファクシミリ装置や複写機等に装備して、原稿の画像の読取りを行うスキャナー装置としては、平らなプラテンの上に原稿をセットして、走査装置を移動させながら画像の読取りを行うフラットベッドスキャナー装置（ＦＢＳ）が多く用いられている。また、小型のスキャナー装置としては、原稿を移動させながら、固定位置に配置した走査装置により画像の読取りを行う形式のスキャナー装置（ＡＤＦ）を用いることが知られている。前記原稿移動形式のスキャナー装置（ＡＤＦ）においては、原稿の画面を走査した光を、複数のミラーを介して反射させてから、レンズによりＣＣＤ等の光電変換素子に結像し、電気信号として出力している。
【０００３】
前記ＡＤＦにおいて、原稿の最大読取り巾に対応させて、原稿とＣＣＤとの間の光路長が設定されるものであるために、例えば、Ａ４サイズの原稿の縦送りを最大読取り幅とする場合に比較して、Ｂ４サイズの原稿の場合には、光路長が長く形成される必要がある。また、レンズにおいては、原稿の最大読取り幅とレンズの明るさ等の条件に対応させてレンズの径と厚さが異なるものを用いており、例えば、２００ｄｐｉと４００ｄｐｉのようなＣＣＤにおける読取りのドット数の違い等の条件に対応させたレンズが用いられる。そして、一般のスキャナーにおいては、原稿の最大読取り巾等の条件に合わせて、走査装置のフレームとミラーの配置間隔、レンズの径等を設計して、専用のスキャナーを製造している。
【０００４】
【発明が解決しようとする課題】
前述したように、従来のスキャナー装置においては、原稿のサイズに対応させた条件にしたがって、専用のフレームを製作していたために、最大読取り可能な原稿の種類が変更される都度、新たに装置全体の設計を行うことが求められている。また、１つの装置に対して用いるレンズの種類を変更しようとする場合にも、走査装置に配置するレンズフレームの設計が変更されるために、新たにフレームの設計を行うことが要求される等の問題が生じていた。したがって、従来の特定サイズの原稿に対応させた専用機では、複数種類の装置に共通のフレームを使用することができないために、装置の製造コストを低減させる際に障害となる他に、部品の管理にも多くの問題がある。
【０００５】
本発明は、前述したような従来のスキャナーの問題を解消するもので、１種類のフレームを用いて、異なる仕様のレンズを容易に組み込むことができる装置を提供することを目的としている。
【０００６】
【課題を解決するための手段】
本発明は、原稿を読取り位置に対して移動させながら原稿の画像面をランプで照射し、その反射光を光信号として読み取り、その光信号を電気信号として出力する画像形成装置に関する。
請求項１の発明は、前記反射光をＣＣＤに結像するレンズは、アダプタ部材を介して画像形成装置のフレームに装着可能に取り付けられ、
前記アダプタ部材は、レンズを支持する凹部と、フレームに組み合わされる円弧状の外周面とを有し、前記凹部は２つの垂直壁面と、２つの斜面部と、１つの水平壁面と、からなり、前記垂直壁面と前記水平壁面に対して、前記レンズが位置決めされることを特徴とする。
請求項２の発明は、前記アダプタ部材をフレームに組み合わせるに際して、一方の部材に設けた突起を、他方の部材に設けた位置決め孔に合わせて位置決めすることを特徴とする。
請求項３の発明は、前記フレームの下部には、前記アダプタ部材もしくは前記レンズよりも大口径のレンズが装着されるレンズフレームが形成され、
前記レンズフレームは２つの垂直壁面と、２つの斜面部と、１つの水平壁面と、からなる凹部を有し、この垂直壁面と前記水平壁面に対して、前記アダプタ部材もしくは前記大口径のレンズが位置決めされることを特徴とする。
したがって、前記したように構成したことにより、１種類のレンズ支持用の凹部を設けたフレームに対して、外径が異なる複数種類のレンズをアダプタを介して容易に装着することができる。そして、アダプタを用いて径の異なるレンズを装着する際には、レンズフレームに対するアダプタを位置決めすることと、アダプタに対するレンズの位置決めとを正確に行うことができ、突部材を凹部に挿入して位置決めすることで、各部材を正確に固定することができる。
【０００７】
【発明の実施の形態】
図示される例にしたがって、本発明の画像形成装置を説明する。図１に示す例は、本発明の画像形成装置を装備する画像読取装置１の構成を示しているもので、本実施例に示す画像読取装置１は、ファクシミリ装置や複写機の他に、単体として構成するスキャナーに使用可能なものとして構成する。前記画像読取装置１においては、原稿の搬送を行うためのＡＤＦとしての原稿搬送装置２を読取部１０の上部に配置しており、前記原稿搬送装置２においては、原稿トレイ３と排出トレイ３ａの間に湾曲させた原稿搬送路６を設けている。前記原稿搬送路６の入り口部にはピックアップローラ４と用紙さばき装置５とを配置し、前記用紙さばき装置５においては、給紙ローラ５ａとリタードローラ５ｂにより、原稿トレイ３にセットした原稿を、１枚ずつさばきながら送り出すようにしている。前記原稿搬送路６の湾曲部には、大径の駆動ローラ７とピンチローラ８を配置して、原稿の湾曲部での案内を行い、プラテン１２の部分で原稿の画像の読取りを行って、排出ローラ装置９により排出トレイ３ａに向けて排出させる。
【０００８】
前記原稿搬送装置２の下部に配置している読取部１０においては、プラテン１１の近傍の側部にランプ１２を配置して、原稿の画像面を照射して、その反射光を複数のミラー１３、１４、１５を介して反射し、レンズ１６によりＣＣＤ１８に結像させる。そして、前記ＣＣＤ１８においては、光信号を電気信号に変換して出力し、画像読取装置を組み合わせた装置がファクシミリ装置の場合には、画像信号を電話回線を通して他のファクシミリ装置に向けて出力させる。また、画像読取装置を複写機と組み合わせた場合には、デジタル信号を用いてコピーを作成することができるようにする。
【０００９】
本発明の実施例に示す読取部２においては、１つのフレーム２０に対して、径の異なるレンズを装着可能に構成しているものであり、読取り可能な原稿の最大サイズが変更された場合でも、共通のフレームを使用可能なものとして構成している。以下に示す例では、そのフレーム２０の構成と、光路長Ａ１、Ａ２に対応させてミラーの装着位置を変更すること、および、径の異なるレンズに対応するアダプタの構成について説明する。
【００１０】
前記図１に示した例において、読取部１０はミラー１３〜１５とレンズ１６、およびＣＣＤ１８とを、その光路長にしたがって配置するものであり、プラスチック材料を用いて一体のものとして構成している。前記フレーム２０は、図２の平面図と図３の底面図に示すように構成しているもので、フレームの巾方向の両端部には側部係止部材２２、２２ａを突出させて設けており、装置本体の係止部に対して、前記側部係止部材を各々装着する。また、フレームのプラテンに対応する位置には開口２１を設けておき、前記開口２１の下部にはミラー１３を配置する。さらに、レンズ収容部には上部に開口２３を設けておき、フレームの下部にはレンズフレーム３０を配置して、前記レンズフレーム３０に対してレンズ１６を装着させるように構成している。したがって、読取部に配置するレンズを着脱する際には、フレームの上から作業を行い得るように構成している。
【００１１】
図３の底面図に示されるように、フレーム２０に対しては、第１ミラー１３を固定位置に配置するが、第２ミラー１４、第３ミラー１５は、それぞれ２個づつの係止部を設けている。図示される例では、巾の広い大サイズの原稿を読取り可能に構成した場合を示しており、第２ミラー１４は係止部材２５、２５ａに位置決めし、第３ミラー１５はミラー係止部材２７、２７ａに位置決めしている。また、原稿のサイズが異なるものを対象とする場合には、第２ミラー１４をミラー係止部材２６、２６ａに、第３ミラー１５をミラー係止部材２８、２８ａに対しそれぞれ位置決めできるように構成している。したがって、本発明においては、後述するレンズの条件と合わせて、フレームを共通に使用して、レンズを装着保持させる作用と、光路長を変更する際のミラーの取付けとを容易に行い得るようにしている。
【００１２】
図４に示す例は、レンズフレーム３０に設けている凹部３１に対して、大口径のレンズ１６を装着する場合を示しており、前記レンズ１６を位置決めして収容可能な凹部３１を設けている。前記凹部３１においては、両側の垂直壁面３２と水平壁面３４とを平面として形成し、その間に斜面部３３を設けており、レンズの周囲の部分を、前記垂直壁面と水平壁面に対してそれぞれ位置決めして固定させるようにする。また、レンズフレーム３０の上部にはレンズ不押圧保持するための固定部材３５を配置し、固定ネジ３６により固定する。そして、大口径のレンズ１６に対しては、レンズフレーム３０に設けた凹部３１に対してレンズをそのまま装着することによって、ＣＣＤに対応する位置で、光軸にレンズの軸芯を一致させた状態で装着できる。
【００１３】
図５に示す例は、小口径のレンズ１７を装着する場合を示しており、大口径のレンズに対応させて作成している凹部３１に対して、アダプタ４０を装着してから、小口径のレンズ１７を取付ける方式を採用している。前記アダプタ４０においては、本体の上部に４つの脚部材４７……を突出させて配置し、前記脚部材の内側と本体によりレンズ１７を収容するための凹部４１を設けている。そして、平面として構成した垂直壁面４２と水平壁面４３とを、斜面部４３により接続した形状に凹部を構成し、前記垂直壁面と水平壁面に対してレンズ１７の外周面を位置決めする。また、前記アダプタ４０の外周面４５は、凹部３１に収容する大口径のレンズと同様な半径の円弧面として構成し、中央部から下部に向けて突起４６を形成しており、前記突起４６を凹部３１に設けた位置決め孔３８に装着することにより、アダプタ４０を固定できるようにする。したがって、レンズフレーム３０に対してアダプタ４０を装着し、上部に配置した固定部材３５をネジ３６をネジ孔３７に装着してよりねじ止めすることにより、小口径のレンズを装着固定することができる。
【００１４】
前記図５に示す例においては、レンズの径と長さ、または焦点距離等の条件に対応させて、レンズフレーム３０に装着するアダプタ４０に対して、凹部４１を形成する位置が異なる場合がある。その場合には、アダプタ４０を介して取付けるレンズに対応させて、凹部４１を形成するとともに、下部の突起４６の位置を規定することが必要となる。しかし、一般的には、２種類のレンズを使用することが多いので、小口径のレンズに対しては、１種類のアダプタを準備するのみで、十分に対処が可能であると考えられる。また、前記レンズフレーム３０に設ける凹部３１と、アダプタ４０に設ける凹部４１のそれぞれに対しては、当然、レンズの長さ方向の位置決め用マークを付しておき、レンズに設けているマークを一致させるように装着することにより、レンズのＣＣＤに対する焦点位置を正確に設定させることも行われる。
【００１５】
なお、本発明の実施例に示すフレーム２０は、図１〜３にそれぞれ示すような構成のものに限定されるものではなく、スキャナーの本体の構造に合わせて任意に形成することが可能である。また、ミラーの取付け位置の変更や、レンズの種類に対応させたアダプタの装着機構等は、前記各実施例に示されたものにしたがって形成することができる。
【００１６】
【発明の効果】
本発明の装置は、前述したように構成したものであるから、スキャナーフレームにはアダプタ部材を介してレンズを装着可能に設け、前記レンズに対応させてアダプタ部材を用いることにより、１種類のスキャナーフレームに対して、外径が異なる複数種類のレンズを付け替え可能とし、径等の異なるレンズをアダプタを介して容易に装着できる。また、アダプタを用いて径の異なるレンズを装着する際には、レンズフレームに対するアダプタの回転方向の位置決めと、アダプタに対するレンズの位置決めとを正確に行うことができるとともに、各部材を正確に固定することができる。
【図面の簡単な説明】
【図１】  本発明を適用可能な画像読取装置の構成を示す説明図である。
【図２】  ミラーとレンズ等を支持するフレームの平面図である。
【図３】  図２のフレームの底面図である。
【図４】  レンズフレームに大口径のレンズを装着した状態の説明図である。
【図５】  レンズフレームにアダプタを介して小口径のレンズを装着する機構の説明図である。
【符号の説明】
１    画像読取装置、  ２    原稿搬送装置、  ３    原稿トレイ、
４    ピックアップローラ、  ５    用紙さばき装置、  ６    用紙搬送路、
７    駆動ローラ、  ８    ピンチローラ、  ９    排出ローラ装置、
１０    読取部、  １１    プラテン、  １２    ランプ、
１３〜１５    ミラー、  １６・１７    レンズ、  １８    ＣＣＤ、
２０    フレーム、  ２１・２３    開口、  ２２    側部係止部材、
２５〜２８    ミラー係止部材、  ３０    レンズフレーム、
３１    凹部、  ３２    垂直壁面、  ３３    斜面部、
３４    水平壁面、  ３５    固定部材、  ３６    ネジ、
３７    ネジ孔、  ３８    位置決め用孔、  ４０    アダプタ、
４１    凹部、  ４５    外周面、  ４６    突起、  ４７    脚部材。
【図１】
0003682568.tif 000002
【図２】
0003682568.tif 000003
【図３】
0003682568.tif 000004
【図４】
0003682568.tif 000005
【図５】
0003682568.tif 000006